(57)【要約】    【課題】着用者にとって体感防寒効果の高いレジャー用ベストの提供。    【解決手段】このベスト１０は、ベスト本体１１と、保温装置１２と、絞り機構１３とを備える。絞り機構１３は、ベスト本体１１のアームホール２２の内径寸法を拡縮させる。絞り機構１３は、環状帯２７と、紐２８と、ロック部材２９とを備える。環状帯２７は、アームホール２２の周縁部に沿って設けられている。紐２８は、環状帯２７の周縁部３０に内蔵されている。紐２８の一部は、環状帯２７から露出されている。ロック部材２９は、この紐２８を把持している。環状帯２７は、伸縮性に優れた生地からなる。紐２８は、弾性体からなる。【選択図】図１
2006009163.tif 000002
【特許請求の範囲】
【請求項１】
前身頃及び後身頃を有し、両者間にアームホールが設けられたベスト本体と、
前身頃及び後身頃の内側を覆うように配置された空気充填式保温装置と、
上記アームホールの内径寸法を拡縮させる絞り機構とを備えたレジャー用ベスト。
【請求項２】
上記絞り機構は、
上記アームホールの周縁部に沿って設けられた環状帯と、
環状帯の周縁部に内蔵され、その一部が当該環状帯から露出された紐と、
環状帯に設けられ、紐を着脱自在に把持するロック部材とを備えている請求項１に記載のレジャー用ベスト。  
【請求項３】
上記環状帯は、２ウェイストレッチタイプの生地から構成されている請求項２に記載のレジャー用ベスト。
【請求項４】
上記紐は、弾性体からなる請求項２又は３に記載のレジャー用ベスト。
【発明の詳細な説明】
【技術分野】
【０００１】
本発明は、釣り等のレジャーに使用される防寒用のベストの構造に関するものである。
【背景技術】
【０００２】
冬季における釣り等においては、釣人は十分な防寒対策を行う必要がある。一般的な防寒対策として、釣人は、保温性の高い下着等のインナーウェア、防水透湿性に優れるアウターウェアを着用すると共に、さらに保温性を高めるためにインナーウェアとアウターウェアとの間にベスト等のミドルウェアを着用する（例えば、特許文献１〜特許文献３参照）。
【０００３】
従来のミドルウェアとしてのベストには、空気充填式保温装置が設けられているものがある。この空気充填式保温装置は、「エアバンテージ（登録商標）」として一般に知られている。この空気充填式保温装置は、ベストの前身頃及び後身頃の内側に縫い付けられる保温シートを備えている。この保温シートは、二枚の生地が重ね合わせられており、両者間に空気充填室が区画されている。さらに、保温シートには、空気充填室に連通する空気供給チューブが連結されている。釣人は、この空気供給チューブに息を吹くことにより、上記空気充填室に体温に略等しい温度の空気が充填され、高い保温効果が奏される。
【０００４】
【特許文献１】特開２００４−６０１０５公報
【特許文献２】特開２００２−８４９５２公報
【特許文献３】特開２００１−２９５１０９公報
【発明の開示】
【発明が解決しようとする課題】
【０００５】
確かに従来のベストでは、その構造ないし機能から帰結されるスペック上の防寒効果は優れている。しかしながら、釣人が実際にベストを着用した場合に体感できる防寒効果は、ベストの構造ないし機能によるところにも増して釣人の身体とベストとの間を実際に流れる空気の量によるところが大きい。言い換えれば、たとえベストが構造上優れた保温防寒機能を備えていても、釣人が実際に着用したときに釣人の身体とベストとの間を風が通り抜けてしまう場合は、結局のところ、釣人は防寒効果を体感することはできない。
【０００６】
そこで、本発明の目的は、着用者にとって体感防寒効果の高いレジャー用ベストを提供することである。
【課題を解決するための手段】
【０００７】
上記目的が達成されるため、本発明に係るレジャー用ベストは、前身頃及び後身頃を有し、両者間にアームホールが設けられたベスト本体と、前身頃及び後身頃の内側を覆うように配置された空気充填式保温装置と、上記アームホールの内径寸法を拡縮させる絞り機構とを備えている。特に冬季における魚釣り等のレジャーでは、釣人は、このレジャー用ベストを着用する。空気充填式保温装置は、釣人の身体を保温する。釣人がこのレジャー用ベストを着用した場合には、釣人の両腕は、アームホールから外部に出る。釣人は、絞り機構によってアームホールの内径寸法を小さくすることができ、これにより、アームホールと釣人の両腕との間に隙間が生じない。一方、釣人は、絞り機構によって上記アームホールの内径寸法を大きくすることができ、これにより、釣人は所要時に容易にこのレジャー用ベストを脱ぐことができる。
【０００８】
上記絞り機構は、上記アームホールの周縁部に沿って設けられた環状帯と、環状帯の周縁部に内蔵され、その一部が当該環状帯から露出された紐と、環状帯に設けられ、紐を着脱自在に把持するロック部材とを備えて構成され得る。この場合、釣人は、ロック部材と紐とのロック状態を解除し、当該紐を引っ張ることができる。これにより、上記アームホールが絞られて、その内径寸法が小さくなる。釣人は、ロック部材によって上記紐をロックすることができ、これにより、上記アームホールは、当該絞られた状態で保持される。したがって、釣人の腕とアームホールとの間に隙間が生じることはない。
【０００９】
アームホールの周縁部には上記環状帯が設けられているから、釣人が上記紐を引っ張ったときは、この環状帯が絞られる。したがって、上記前身頃及び後身頃を構成する生地が強く折り畳まれることはない。つまり、前身頃及び後身頃が損傷を受けることはない。一方、釣人は、ロック部材と紐とのロック状態を解除し、当該紐を上記環状帯の内部に収容することによって、上記アームホールの内径寸法が大きくなる。
【００１０】
上記環状帯は、２ウェイストレッチタイプの生地から構成されているのが好ましい。これにより、上記アームホールの内径寸法が小さくされた場合に、環状帯が釣人の腕の周りに一定の緊迫力で確実に当接する。したがって、釣人の腕とアームホールとの間に隙間が生じることが確実に防止される。しかも、上記環状帯が２ウェイストレッチタイプの生地から構成されることによって、環状帯がきわめて容易に伸縮する。したがって、アームホールの拡縮が繰り返された場合であっても、容易に環状帯が損傷を受けることはない。
【００１１】
さらに、上記紐は、弾性体から構成されているのが好ましい。これにより、釣人が上記紐を引っ張ってアームホールを絞る場合には、紐の弾性（収縮力）によってアームホールの内径寸法が簡単且つ迅速に小さくなる。また、上記ロック部材と紐とのロック状態が解除された場合には、紐の弾性力によって瞬時にアームホールの内径寸法が大きくなる。
【発明の効果】
【００１２】
この発明では、釣人がこのレジャー用ベストを着用した場合には、釣人の両腕とベスト本体のアームホールとの間に隙間が生じないので、空気充填式保温装置による保温機能が十分に発揮される。したがって、釣人は、高い防寒効果を体感することができる。
【発明を実施するための最良の形態】
【００１３】
以下、適宜図面が参照されつつ、好ましい実施形態に基づいて本発明が詳細に説明される。
【００１４】
図１は、本発明の一実施形態に係るベストの正面図である。このベスト１０は、典型的には釣りの際に釣人が着用するものであり、主としてアウターウェアの内側に着用されるミドルウェアとして構成されている。もっとも、このベスト１０は、釣人のみが着用するものではなく、防寒対策が必要なレジャー一般に使用される。また、このベスト１０は、ミドルウェアとしてのみ使用されるものではなく、アウターウェアとして使用されてもよいことは勿論である。
【００１５】
ベスト１０は、ベスト本体１１と、ベスト本体１１の内側に配置された保温装置１２（空気充填式保温装置）と、ベスト本体１１に設けられた絞り機構１３とを備えている。
【００１６】
ベスト本体１１は、前身頃１４及び後身頃１５とを有する。これらは、例えば透湿性を有し且つ防水性を有する生地から構成される。この生地が予め設計された形状に裁断されることによって前身頃１４及び後身頃１５が構成され、これらが脇部１６において縫い合わされている。前身頃１４と後身頃１５との間には、アームホール２２が設けられている。釣人がこのベスト１０を着用したときは、釣人の腕がこのアームホール２２から外部に出る。前身頃１４は、右前身頃１７及び左前身頃１８を有し、両者は、ファスナー１９を介して接続されている。したがって、釣人がファスナー１９を操作することによって、前身頃１４を開くことができる。なお、右前身頃１７及び左前身頃１８には、ポケット２０、２１が設けられている。
【００１７】
図２は、前身頃１４が開かれた状態でのベスト１０の正面図である。保温装置１２は、本実施形態では、市販品であるエアバンテージ（登録商標）が採用されている。この保温装置１２は、空気を貯蔵することができる保温シート部材２３と、空気供給チューブ２４とを備えている。
【００１８】
保温シート部材２３は、対向配置された２枚のシートを有し、両者間にチャンバー２５が形成されている。保温シート部材２３は、さまざまな生地から構成されるが、透湿性を有し且つ防水性を有する生地が採用されてもよい。チャンバー２５は、上記２枚のシート間に迷路状に形成されている。空気供給チューブ２４は、チャンバー２５の左前身頃１８の上方に位置する部位に連結されている。この空気供給チューブ２４は例えばゴムからなる。釣人は、空気供給チューブ２４をくわえて息を吹くことにより、チャンバー２５に息（空気）が送り込まれて、チャンバー２５は膨らむ。なお、空気供給チューブ２４は逆止弁２６を備えているのが好ましい。これにより、チャンバー２５から容易に空気が抜けることはないし、釣人は、逆止弁２６を操作することによって、意図的にチャンバー２５から空気を迅速に抜くことができる。
【００１９】
この保温装置１２は、ベスト本体１１の内側に固定されている。具体的には、上記保温シート部材２３の周縁部が上記後身頃１５及び上記前身頃１４の内周縁部に縫い付けられている。換言すれば、保温装置１２は、ベスト本体１１の裏地として構成されている。
【００２０】
図３は、ベスト１０の要部拡大斜視図であり、上記絞り機構１３が詳細に図示されている。絞り機構１３は、上記アームホール２２に設けられた環状帯２７と、これに内蔵された紐２８と、この紐２８をロックするロック部材２９とを有する。
【００２１】
環状帯２７は、細長帯状に裁断された生地からなる。この生地が上記アームホール２２の周縁部に沿って縫い付けられている。この生地を構成する材料は、綿、ナイロンのほかさまざまなものが採用され得る。本実施形態では、環状帯２７は、２ウェイストレッチ機能を備えている。この「２ウェイストレッチ機能」とは、縦方向にも横方向にも伸縮することができる機能である。具体的には、上記生地が所定の種類の繊維により構成され且つこの繊維が所定の方式で織られることにより、環状帯２７は、２ウェイストレッチ機能を備える。
【００２２】
環状帯２７の周縁部３０は、袋状に形成されている。紐２８は、環状に形成されており、この周縁部３０の内部に配置されている。紐２８は、ポリエステル等により構成されるが、伸縮性に優れた弾性体（典型的にはゴム紐）から構成されるのが好ましい。環状帯２７は、上記周縁部３０の内部と連通する引出孔を備えている。同図が示すように、紐２８は、この引出孔から外部に引き出され、環状帯２７からアームホール２２側に露出している。
【００２３】
ロック部材２９は、既知の構成である。ロック部材２９は、筒状の本体３１と固定ピン３２とを備えている。紐２８は、ロック部材２９を貫通している。固定ピン３２は、本体３１との間で紐２８を挟持する。具体的には、固定ピン３２が本体３１に対して進退可能に嵌め込まれており、本体３１及び固定ピン３２には貫通孔が設けられている。紐２８は、この貫通孔に挿通されている。常時において固定ピン３２は、本体３１から突出するように弾性付勢されている。したがって、ロック部材２９を貫通した紐２８は、本体３１と固定ピン３２との間に挟み込まれ、一定の保持力でロックされている。また、固定ピン３２が本体３１側へ押し付けられることによって、紐２８のロックが解除され、紐２８は、自由にロック部材２９を挿通することができる。
【００２４】
なお、ロック部材２９は、ベスト本体１１側に取り付けられている。本実施形態では、布等からなるベルト３３によって、上記本体３１が右前身頃１７に連結されている。釣人が紐２８を引っ張ると、この紐２８によってアームホール２２の内径寸法が小さくなる。つまり、アームホールが絞られる。
【００２５】
以上の説明は、右前身頃１７側に位置する絞り機構１３についてのものであるが、左前身頃１８側に位置する絞り機構１３も同様の構成である。
【００２６】
釣人がこのベスト１０を着用した場合には、次のような効果が奏される。特に冬季における魚釣りでは、釣人は、防寒具としてこのベスト１０を着用する。このとき、釣人の両腕は、アームホール２２から外部に出る。釣人が保温装置１２に息を吹くことにより、保温装置１２は、釣人の身体を保温する。
【００２７】
釣人は、絞り機構１３を操作することよってアームホール２２を絞ることができる。アームホール２２が絞られると、アームホール２２と釣人の腕との間に隙間が生じない。したがって、ベスト１０と釣人の身体との間を風が通り抜けることがなく、保温装置１２による保温機能が十分に発揮される。その結果、釣人は、高い防寒効果を体感することができる。また、釣人は、絞り機構１３を操作することによって、アームホール２２の内径寸法を大きくすることができる。これにより、釣人は必要なときに容易にベスト１０を脱ぐことができる。
【００２８】
本実施形態では、紐２８は、前述のようにロック部材２９によって一定の保持力でロックされているだけであるから、釣人は、図３が示すように、当該保持力に抗して上記紐２８を矢印３４の方向に引っ張ることにより、紐２８のロックが自動的に解除されることになる。これにより、紐２８は、ロック部材２９を挿通し、簡単にアームホール２２を絞ることができる。なお、釣人は、ロック部材２９の固定ピン３２を押すことにより積極的に紐２８のロックを解除することができ、その状態で紐２８を引っ張ることもできる。アームホール２２の周縁部には環状帯２７が設けられているから、釣人が紐２８を引っ張ったときは、この環状帯２７が絞られる。したがって、前身頃１４及び後身頃１５を構成する生地が強く折り畳まれることはない。つまり、前身頃１４及び後身頃１５が強く折り畳まれて損傷を受けることはない。しかも、前身頃１４及び後身頃１５と釣人の身体との間に隙間が形成されることもないので、上記高い保温効果が維持される。
【００２９】
また、本実施形態では、環状帯２７が２ウェイストレッチタイプの生地から構成されているので、アームホール２２が絞られた場合に、環状帯２７が釣人の腕の周りに一定の緊迫力で確実に当接する。したがって、釣人の腕とアームホール２２との間に隙間が生じることが確実に防止され、上記高い保温効果が確実に維持される。
【００３０】
しかも、環状帯２７が２ウェイストレッチタイプの生地から構成されることによって、環状帯２７がきわめて容易に伸縮する。したがって、アームホール２２の拡縮が繰り返された場合であっても、容易に環状帯２７が損傷を受けることはない。
【００３１】
加えて、伸縮性に優れた環状帯２７が設けられることによって、アームホール２２の内径寸法が予め大きく設定され得る。アームホール２２の内径寸法が大きく設定されても、環状帯２７が大きく伸縮することができるので、釣人は、アームホール２２を絞って腕とアームホール２２との間の隙間を無くすことができる。したがって、ベスト１０は、釣人にとって非常に着脱しやすく、着用した状態で非常に動きやすいものとなる。
【００３２】
特に、上記紐２８が弾性体からなり、伸縮性に優れるので、釣人が紐２８を引っ張ると、紐２８の弾力によってアームホール２２が簡単且つ迅速に絞られる。また、ロック部材２９による紐２８のロックが解除されたときには、紐２８の弾力によって瞬時にアームホール２２が拡径されるという利点がある。
【００３３】
本実施形態では、絞り機構１３は、環状帯２７、紐２８及びロック部材２９とを備えているが、絞り機構１３の構造はこれに限定されるものではない。たとえば、環状帯２７に取り付けられた面ファスナーによって絞り機構１３が構成されていてもよい。この場合、面ファスナーによって環状帯２７が束ねられることによりアームホール２２が絞られる。また、この面ファスナーに代えてスナップが採用されていてもよい。この場合、スナップによって環状帯２７が束ねられることによりアームホール２２が絞られる。要するに、絞り機構１３は、環状帯２７を束ねてアームホール２２を絞ることができる構造であれば、他の種々の構造が採用され得る。
【産業上の利用可能性】
【００３４】
本発明は、釣りその他のレジャーにおいて防寒具として着用されるベストに適用され得る。
【図面の簡単な説明】
【００３５】
【図１】図１は、本発明の一実施形態に係るベストの正面図である。
【図２】図２は、本発明の一実施形態に係るベストの前身頃が開かれた状態での正面図である。
【図３】図３は、本発明の一実施形態に係るベストの要部拡大斜視図である。
【符号の説明】
【００３６】
１０・・・ベスト
１１・・・ベスト本体
１２・・・保温装置
１３・・・絞り機構
１４・・・前身頃
１５・・・後身頃
１６・・・脇部  
１７・・・右前身頃
１８・・・左前身頃
１９・・・ファスナー
２０・・・ポケット
２１・・・ポケット
２２・・・アームホール
２３・・・シート部材
２４・・・空気供給チューブ
２５・・・チャンバー
２６・・・逆止弁
２７・・・環状帯
２８・・・紐  
２９・・・ロック部材
３０・・・環状帯の周縁部
３１・・・本体
３２・・・固定ピン
３３・・・ベルト
【図１】
2006009163.tif 000003
【図２】
2006009163.tif 000004
【図３】
2006009163.tif 000005